Podtech/llm-jp-corpus-v4-ja_patent huggingface dataset:
(57)【特許請求の範囲】
【請求項１】
混合チャンバ及びパージ空気通路を有する複数成分のスプレーガンであって、
溶剤源と、
前部及び後部を有するとともに且つ第１非噴射位置と第２噴射位置との間で移動可能な溶剤ピストンと、を含み、
前記第１位置では、高圧空気が前記後部に付与されることで前記溶剤ピストン周りの溶剤穴を閉じるため、前記混合チャンバへの溶剤の通過を妨げ、また、前記第２位置では、高圧空気が前部に付与されることで前記ガンの引き金を離して前記溶剤ピストンを引っ込ませ、前記溶剤穴を開けて前記溶剤源に接続された溶剤入口を閉じ、さらに、ある量の溶剤を前記パージ空気通路において混合させて、前記溶剤ピストンの前記前部側にある溶剤出口から前記混合チャンバに入れることができるように構成された複数成分スプレーガン。
【発明の詳細な説明】
【技術分野】
【０００１】
本出願は２００７年９月１１日に出願された米国特許出願第６０／９７１，３０５号の利益を主張し、それの内容は本願において参照により援用される。
【背景技術】
【０００２】
例えば急速硬化フォームズ（fast set foams）などの複数の成分材料を塗布するためのスプレーガンはよく知られており、一般的に機械式パージ及びエアパージの両方の変形形態のものが利用可能である。機械式パージガンにおいて２つの成分材料をパージする従来から知られた手段は、混合穴を通って摺動する機械式パージロッドによるものである。この配置は噴射材料の蓄積によってパージロッドが穴の内部で膠着するという問題を有している。
【０００３】
エアパージガンにおける２つの成分材料をパージする従来の手段は、高圧エアパージング（混合チャンバを通る空気の噴射（blast））によるものである。この設計は混合チャンバの内部通路における蓄積、且つ噴射器の先端における噴霧パターンの悪化を誘発するため、操作者は機能を回復させるために混合チャンバを掃除する必要がある。
【先行技術文献】
【特許文献】
【０００４】
【特許文献１】米国特許第３，９４５，５６９号明細書
【発明の概要】
【０００５】
本発明の目的は、混合された２つの成分ポリウレタンが噴射塗布器の内部通路内で硬化することを防ぎ、使用者が噴霧パターンの歪みが生じるか又はガンのメンテナンスが必要になるまで噴射器を長く使用できるようにすることである。
【０００６】
機械式パージガンは内部ポンピング機構によって溶剤を分配（dispenses）する。パージロッドは小径ロッド及び大径ロッドからなる。パージロッドが混合チャンバを通って後ろへ引かれると、小径ロッド部分は大径ロッドと置き換わり、溶剤を引き込むための真空が形成される。パージロッドを前方へ移動させて機械式パージガンを閉じると、溶剤は圧力の下で内部ポンプからパージロッドの表面に沿って混合チャンバ内に排出され、そこから混合された２つの成分材料と共に機械式パージガンからパージされる。溶剤は塗布器内に内蔵されるか、又は常に機械式パージガンに配管されるかのどちらかである。
【０００７】
エアパージガンは内部注入（dosing）ポンプによって引き金が離されたときに溶剤を自動的に分配する。分配された溶剤はパージ空気と混合されて、混合チャンバ開口部を通過してエアパージガンから排出される。あるいは、エアパージガンは内部ポンピング機構によって引き金が離されたときに溶剤を分配する。分配された溶剤はパージ空気と混合されて、混合チャンバ開口部を通過してエアパージガンから排出される。他の実施形態では、エアパージガンはベンチュリー効果によって引き金が離されたときに溶剤を自動的に分配する。溶剤は空気のストリーム内に注入されて、混合チャンバ開口部を通って塗布器から排出される。溶剤は塗布器に内蔵されるか、又は常にエアパージガンに配管されるかのどちらかである。
【０００８】
発明のこれら及びその他の目的及び利点は、添付の図面を参照してなされた以下の説明によってさらに十分に明らかとなるであろう。なお、類似の参照番号は図面を通じて同じ又は類似する部分を指す。
【図面の簡単な説明】
【０００９】
図１は本発明の装置を示す機械式パージスプレーガンを示す図である。
図２は非スプレーガンを有するエアパージガンの好ましい実施形態を示す図である。
図３はスプレーガンを有するエアパージガンの好ましい実施形態を示す図である。
図４はエアパージガンの別の実施形態を示す図である。
図５はエアパージガンの他の別の実施形態を示す図である。
図６はエアパージガンの更に別の実施形態を示す図である。
【発明を実施するための形態】
【００１０】
図１の機械式パージガン１０は内部ポンピング機構によって溶剤を分配する。パージロッド１２は小径ロッド１４と大径ロッド１６とからなる。パージロッド１２が混合チャンバ１８を通って後ろへ引かれると、小径ロッド１４部分は大径ロッド１６と置き換わり、溶剤入口２０から溶剤を引き込むための真空が形成される。パージロッド１２を前方へ移動させて機械式パージガン１０を閉じると、溶剤は圧力の下で内部ポンプからパージロッド１２の表面に沿って混合チャンバ１８内に排出され、そこから混合された２つの成分材料と共に機械式パージガン１０からパージされる。溶剤は塗布器内に内蔵されるか、又は常に機械式パージガンに配管されるかのどちらかである。
【００１１】
図２及び３の好ましい実施形態では、溶剤ピストン２２は第１（非噴射−図２）位置と第２（噴射−図３）位置との間で往復する。第１位置では、溶剤ピストン２２の後部２２ａに付与される高圧空気が溶剤ピストン２２周りの溶剤穴２４を閉じ、混合チャンバ２６への溶剤の通過を妨げる。第２位置では、高圧空気が溶剤ピストン２２の前部２２ｂに付与されることで溶剤ピストン２２をわずかに引っ込ませ、溶剤穴２４を開けて溶剤入口２８を閉じ、さらにある量の溶剤をパージ空気３２と混合させて、溶剤出口３０から混合チャンバ２６に入れる。
【００１２】
図４の別の実施形態では、エアパージガンは内部注入ポンプ４０によって引き金が離されたときに溶剤を自動的に分配する。分配された溶剤はパージ空気４２と混合されて、混合チャンバ開口部４４を通ってエアパージガンから排出される。
【００１３】
また、図５では、エアパージガンは内部ポンピング機構５０によって引き金が離されたときに溶剤を自動的に分配する。分配された溶剤はパージ空気５２と混合されて、混合チャンバ開口部５４を通ってエアパージガンから排出される。
【００１４】
図６の他の実施形態では、エアパージガンはベンチュリー効果６０によって引き金が離されたときに溶剤を自動的に分配する。溶剤は空気のストリーム６２内に注入されて、混合チャンバ開口部６４を通って塗布器から排出される。溶剤は塗布器に内蔵されるか、又が常にエアパージガンに配管されるかのどちらかである。
【００１５】
以下の特許請求の範囲によって規定される発明の精神及び範囲から逸脱することなく様々な変更及び修正を溶剤パージ機構に対して行うことができると考えられる。
【図１】
0005406190.tif 000002
【図２】
0005406190.tif 000003
【図３】
0005406190.tif 000004
【図４】
0005406190.tif 000005
【図５】
0005406190.tif 000006
【図６】
0005406190.tif 000007
(57)【特許請求の範囲】
【請求項１】
プラスチックから一体に製造され、周囲環境に通じる供給オリフィス（１４）をその一端に有するとともに、その他端が塞がれるピペット管（１２）を備える、流動性物質を塗布するための装置であって、前記供給オリフィス（１４）の領域には、前記流動性物質で湿らされ得る塗布手段（２２）が設けられ、
前記塗布手段は、内部空間（１６）から供給される流動性物質で湿らされる前記ピペット管（１２）のフロックを構成し、
前記ピペット管（１２）は、弾性変形可能なプラスチックからなる第１の部分（１８）と、硬質プラスチックからなる第２の部分（２０）と、を有する射出成形品として構成され、
前記供給オリフィス（１４）は前記第２の部分（２０）の前記第１の部分（１）と反対側の端部に位置し、当該第２の部分（２０）に前記フロックが設けられたことを特徴とする装置。
【請求項２】
前記塗布手段は、供給オリフィスを取り囲むピペット管の面に射出成形されるペイントブラシの房を備えることを特徴とする請求項１に記載の装置。
【請求項３】
前記ペイントブラシの房が少なくとも１つの毛の輪で形成されることを特徴とする請求項２に記載の装置。
【請求項４】
前記供給オリフィスを備えた前記第２の部分（２０）は、当該供給オリフィスに近い程先細っていることを特徴とする請求項１乃至請求項３のいずれか１項記載の装置。
【請求項５】
前記ピペット管（１２）は、前記第１の部分（１８）と、当該第１の部分（１８）の両端にそれぞれ接続された前記第２の部分（２０）とを有し、
一方の側の第２の部分に前記供給オリフィス及び前記フロックが設けられ、
他方の側の第２の部分の前記第１の部分（１８）と反対側の端部が塞がれた前記他端であることを特徴とする請求項１乃至請求項４のいずれか１項記載の装置。
【発明の詳細な説明】
【技術分野】
【０００１】
本発明は、流動性物質を塗布するための装置であって、プラスチックから製造され、周囲環境に通じる供給オリフィスをその一端に有するピペット管を備える装置に関する。
【背景技術】
【０００２】
そのようなピペットは実際に知られており、それらのピペットは、特に流動性物質のピペットや滴下（spotting）のための研究室で用途を見い出している。通常、供給オリフィスは、一体のプラスチック製品として構成されるピペット管のほぼ先細った部分の下端に配置される。しかしながら、そのような滴下ピペット管を用いると、流動性物質が塗布されるべき部位を塗布するのが困難である。
【発明の概要】
【発明が解決しようとする課題】
【０００３】
このため、本発明は、前述した一般的なタイプの装置であって、塗布されるべき流動性物質を塗布できるようにする装置を提供するという目的に基づいている。
【課題を解決するための手段】
【０００４】
この目的は、請求項１の特徴を有する装置により本発明にしたがって達成される。
すなわち、本発明の主題は、プラスチックから一体に製造され、周囲環境に通じる供給オリフィスをその一端に有するとともに、その他端が塞がれるピペット管を備える、流動性物質を塗布するための装置を含む。供給オリフィスの領域には、流動性物質で湿らされ得る塗布手段が設けられる。
【０００５】
供給オリフィスに設けられてピペット管に保持された流動性物質で湿らされ得る塗布手段により、その部位で流動性物質を塗布することができる。したがって、本発明に係る装置は、流動性物質の塗布作業に特に適している。
【０００６】
本発明に係る装置の好ましい一実施形態において、塗布手段は、内部空間から供給される流動性物質で湿らされるピペット管のフロック（flock、毛状体）を構成する。
【０００７】
それに代えて或いはそれに加えて、塗布手段は、供給オリフィスを取り囲むピペット管の面に射出成形されるペイントブラシの房を備えてもよい。
ペイントブラシの房は、多くの異なる方法で構成されてもよく、特に、供給オリフィスを取り囲むピペット管の面に成形される少なくとも１つの円形の毛の輪（chaplet）によって形成される。
【０００８】
本発明に係る装置の供給を最適化するため、１つの好ましい実施形態では、ピペット管が２部品射出成形品として構成され、この場合、流動性物質を供給する役目を果たすピペット管の第１の部分がエラストマーから形成され、供給オリフィスを備えて第１の部分に隣接する少なくとも１つの第２の部分が硬質プラスチックから形成される。
【発明の効果】
【０００９】
本発明の主題の更なる利点および有益な態様は、図面から明らかなように、明細書本文と請求の範囲とから読み取れる。
以下の詳細な図面には、本発明に係る装置の１つの実施形態が図式的に簡略化されて示される。
【図面の簡単な説明】
【００１０】
【図１】図１は、フロック付きピペットの縦断面図である。
【図２】図２は、本発明にしたがって構成されるピペット装置の第２の実施形態である。
【発明を実施するための形態】
【００１１】
図面には、ある部位、例えば患者の歯根に流動性物質を塗布するためのピペットとして構成される装置１０が示されている。該装置１０は、供給オリフィス１４で終端して該供給オリフィス１４とは反対側の他端が塞がれるピペット管１２を備える。また、ピペット管１２は、供給オリフィス１４と流体連通する内部空間１６を備える。
【００１２】
ピペット管１２は、弾性変形可能な柔軟なプラスチックから成る第１の部分１８と、それぞれが第１の部分１８に隣接して硬質プラスチックから形成される２つの第２の部分２０とを備える２部品射出成形品である。第１の部分１８の下側に位置して供給オリフィス１４を組み込む第２の部分２０は、供給オリフィス１４の方向で先細っている。内部空間１６内に保持される流動性物質は、流動性物質をピペット管１２から供給オリフィス１４を通じて押し出すべく第１の部分１８を圧搾する使用者によって供給され得る。
【００１３】
また、ピペット管１２の第２の部分２０には、ピペット管１２を縁どって供給オリフィス１４に隣接するフロック２２が付設され、該フロックは、使用者が第１の部分１８を圧搾することにより内部空間１６からの流動性物質で湿らされる。したがって、ある部位への流動性物質の塗布がフロック２２によりなされる。
【００１４】
また、一方ではピペット管１２を安定させ且つ他方では塗布装置（塗布手段）の一部であってもよい管状金属インレー（埋め込み体）を供給オリフィスを備える部分に伴ってピペット管１２を設計することも実現可能である。
【００１５】
本発明に係る装置１０’の別の実施形態では、その供給オリフィスの領域にフロック２２を特徴付ける柔軟な弾性プラスチックから成るピペット管１２’が、硬質プラスチックまたは金属で形成された外筒２４によって覆われている。外筒２４は、流動性物質をピペット管１２’から供給して塗布できるように柔軟な弾性プラスチックから成る内部のピペット管１２’を圧搾する使用者の指先を受けるための２つの孔２６Ａ、２６Ｂを有する。
【符号の説明】
【００１６】
１０  ピペット
１２  ピペット管
１４  供給オリフィス
１６  内部空間
１８  第１の部分
２０  第２の部分
２２  フロック
２４  外筒
２６Ａ，Ｂ  孔
【図１】
0005416782.tif 000002
【図２】
0005416782.tif 000003